(57)【要約】本発明は、凝縮によって、空気に含まれる水を抽出するための装置（３０）であって、前記装置（３０）は、空気流を生成するためのファン（２８）と、ファン（２８）により生成される空気流中の水を凝縮するための熱伝導流体蒸発器（３２）と、蒸発器（３２）によって蒸発された熱伝導流体を圧縮するための圧縮器（３４）であって、その圧縮器（３４）は、空気流において蒸発器（３２）の下流に配置される、圧縮器（３４）とを備える装置（３０）に関する。本発明はまた、上述の水抽出装置（３０）を含む、空気から飲料水を製造するためのシステムにも関する。本発明はさらに、上述のシステムを含む、空気から飲料水を製造するための機械に関する。本発明は、改良された性能を有して、空気から水を製造するために使用することができる。【選択図】図１
2013527889.tif 000002
【特許請求の範囲】
【請求項１】
凝縮によって、空気に含まれる水を抽出するための装置（３０）であって、前記装置（３０）は、
空気流を生成するためのファン（２８）と、
前記ファン（２８）により生成される空気流中の水を凝縮するための熱伝導流体蒸発器（３２）と、
前記蒸発器（３２）によって蒸発された熱伝導流体を圧縮するための圧縮器（３４）であって、前記圧縮器（３４）は、空気流において前記蒸発器（３２）の下流に配置される、圧縮器（３４）と、
を備える、装置（３０）。
【請求項２】
前記ファン（２８）は、前記蒸発器（３２）上に空気流を押し進める、請求項１に記載の装置。
【請求項３】
前記ファン（２８）により生成された空気流のための密閉パイプを備え、前記パイプは、前記ファン（２８）、前記蒸発器（３２）および前記圧縮器（３４）の間で空気流を流す、請求項１または２に記載の装置。
【請求項４】
前記圧縮器（３４）により圧縮された流体を凝縮するための熱交換流体凝縮器（３６）と、
前記蒸発器（３２）の上流の熱交換流体注入口と、
前記凝縮器（３６）の下流の熱交換流体排出口と、
を備え、
前記熱交換流体注入口および前記熱交換流体排出口は、前記排出口から前記注入口の方向へ熱交換流体が戻る回路（４２、４４、４８）に接続されるように設けられる、請求項１〜３のいずれか一項に記載の装置。
【請求項５】
前記圧縮器（３４）によって圧縮された流体を凝縮するための凝縮器（３６）と、
前記凝縮器（３６）によって凝縮された流体を前記凝縮器（３６）の下流で脱水するための脱水器（４２）と、
前記脱水器（４２）により脱水された流体を膨張させるための膨張器（４４）と、
前記膨張器（４４）により膨張された熱伝導流体の圧力に応じて前記脱水器（４２）の閉塞を測定するための圧力スイッチ（４８）と、
を備える、請求項１〜３のいずれか一項に記載の装置。
【請求項６】
前記装置は、空気から飲料水を製造するためのシステムにおいて、交換可能に設置されるように構成されるブロックで配置される、請求項１〜５のいずれか一項に記載の装置。
【請求項７】
空気から飲料水を製造するためのシステムであって、
請求項１〜６のいずれか一項に記載の空気に含まれる水を抽出するための装置（３０）と、
前記システムの外部の空気の温度および湿度を測定するためのセンサ（８６）と、
前記センサ（８６）により提供される温度および湿度の測定値に応じて空気に含まれる水の抽出を制御する、制御ユニット（８０）と、
を備える、空気から飲料水を製造するためのシステム。
【請求項８】
前記空気に含まれる水を抽出するための装置（３０）が、前記蒸発器（３２）の上流に熱伝導流体を選択的に戻すために、前記蒸発器（３２）と前記圧縮器（３４）との間に熱伝導ソレノイドバルブ（４０）を含み、前記ソレノイドバルブ（４０）は、前記蒸発器（３２）の温度を調節するように制御される、請求項７に記載のシステム。
【請求項９】
フィルタ（４６）を備え、前記フィルタ（４６）は、空気流を物理的に濾過するための部分および空気流の衛生的処理をするための部分を含み、前記衛生的処理をする部分は、細菌または微生物発生を回避するように処理された物理的フィルタ、プラズマフィルタ、および紫外線発光ダイオードフィルタからなる群から選択される、請求項７または８に記載のシステム。
【請求項１０】
抽出した水を収集するための収集槽（３８）であって、前記収集槽（３８）は、抽出した水を重力により収集する、収集槽（３８）と、
前記収集槽（３８）により収集した水を貯蓄するための貯蓄槽（６０）と、
前記貯蓄槽（６０）に貯蓄した水をポンプでくみ上げるためのポンプ（５６）と、
をさらに備え、
前記ポンプ（５６）は、貯蓄した水を使用者により消費されるように設けられ、前記ポンプ（５６）の作動時間によりポンプでくみ上げられる水の体積を決定し、前記制御ユニット（８０）が、消費のためにポンプでくみ上げられる水の体積に応じて前記抽出装置（３０）による空気に含まれる水の抽出を制御する、請求項７〜９のいずれか一項に記載のシステム。
【請求項１１】
前記貯蓄槽（６０）に貯蓄された水のための冷却回路（６４、６６）をさらに備え、前記冷却回路は、
前記貯蓄された水を冷却するための前記貯蓄槽（６０）の外側に巻かれた熱交換器（６４）と、
前記貯蓄された水より低い温度を有する熱伝導流体を前記熱交換器（６４）に提供するための前記冷却回路の残部（６６）と、
を備える、請求項１０に記載のシステム。
【請求項１２】
貯蓄された水を処理するためのフィルタのセット（７０）をさらに備え、前記フィルタのセット（７０）は、セディメントフィルタ（７２）、圧縮された活性炭フィルタ（７４）、および限外濾過膜（７６）からなる群から選択される少なくとも１つのフィルタを含み、前記フィルタのセット（７０）は前記ポンプ（５６）によりくみ上げられた水を濾過する、請求項１０または１１に記載のシステム。
【請求項１３】
前記フィルタのセット（７０）により濾過された水のための前記貯蓄槽（６０）における放出回路と、
前記放出回路と、濾過された貯蓄された水を使用者が消費するための消費回路との間で濾過された水を切り替えるためのソレノイドバルブ（７８）と、
をさらに備える、請求項１２に記載のシステム。
【請求項１４】
前記システムが、前記貯蓄槽（６０）に貯蓄された水の衛生的処理をするための紫外線ランプ（５８）を備える、請求項１０〜１３のいずれか一項に記載のシステム。
【請求項１５】
空気から飲料水を製造するための機械であって、前記機械は、
貯蓄槽（６０）を含む下側部分と、抽出装置（３０）を含む中間部分と、制御ユニット（８０）を含む上側部分とを含む、３つの部分に高さ方向に分けられる、請求項１０〜１４のいずれか一項に記載の空気から飲料水を製造するためのシステムと、
前記機械の異なる部分に対する前記システムのケーブルの経路のための中空プラスチック管を含む構造と、
を含む、機械。
【請求項１６】
サーバー上の集中された情報ストレージまたはリモートトラブルシューティングユニットにリモートで情報を送信するためのリモート通信デバイス（８８）を備え、前記リモート通信デバイス（８８）は、送信／受信搬送電流アウトレット、ＧＰＲＳ送信器／受信器、ＷＩＦＩ送信器／受信器からなる群から選択されるリモート通信部を含む、請求項１５に記載の機械。
【請求項１７】
飲料水を製造するための機械についての情報をリモート処理するためのアセンブリであって、前記アセンブリは、
請求項１５に記載の機械であって、前記機械の制御ユニットが、前記機械の作動および異常状態についてのデータ収集部を含む、請求項１５に記載の機械と、
情報をリモート送信するためのデバイスであって、前記デバイスは、前記機械の外部にあり、搬送電流によりデータ収集部と通信するように設けられ、前記デバイスは、収集部により収集されたデータおよび前記デバイスにより受信されたデータをリモート送信するためのモデムを含む、デバイスと、
前記モデムを用いて送信デバイスにより送信されたデータを処理するためのソフトウェアと、
を含む、アセンブリ。
【請求項１８】
請求項１７に記載のアセンブリを用いて飲料水を製造するための機械からの情報をリモート処理するための方法であって、前記方法は、
前記機械のデータ収集部によって前記機械の作動および異常状態に関するデータを収集する工程と、
前記データ収集部により収集されたデータを、搬送電流により、送信デバイスに通信する工程と、
モデムを介して、前記送信デバイスによりデータをリモート送信する工程であって、前記データは、処理ソフトウェアにより処理される、工程と、
を含む、方法。
【請求項１９】
前記方法は、前記データをリモート送信する工程の後、前記情報をリモート送信するための前記送信デバイスにより前記機械の制御を適用するように命令を送信することによって前記機械の制御を適用する工程をさらに含む、請求項１８に記載の処理方法。
【発明の詳細な説明】
【技術分野】
【０００１】
本発明は空気に含まれる水を抽出するための装置に関する。本発明はまた、空気に含まれる水を抽出するための装置を含む、飲料水を製造するためのシステムに関する。本発明はまた、飲料水を製造するためのシステムを含む、機械に関する。
【背景技術】
【０００２】
飲料水を製造するための異なる公知の機械は、水蒸気形態で空気中に存在する水を凝縮により抽出する。特許文献１および特許文献２はそのような機械を目的とする。これらの機械の主な性能基準は、機械の稼働エネルギー単位当たりに製造される水の量である。
【先行技術文献】
【特許文献】
【０００３】
【特許文献１】欧州特許第０５９７７１６号明細書
【特許文献２】欧州特許第０８９１５２３号明細書
【発明の概要】
【発明が解決しようとする課題】
【０００４】
より良い性能で空気から水を製造するための機械についての必要性が依然として存在する。
【課題を解決するための手段】
【０００５】
したがって、本発明は、凝縮によって空気に含まれる水を抽出するための装置であって、前記装置は、
空気流を生成するためのファンと、
前記ファンにより生成される空気流中の水を凝縮するための熱伝導流体蒸発器と、
前記蒸発器によって蒸発された熱伝導流体を圧縮するための圧縮器であって、前記圧縮器は、空気流において前記蒸発器の下流に配置される、圧縮器と、を備える装置を提案する。
【０００６】
一つの代替によれば、ファンは蒸発器上に空気流を押し進める。
【０００７】
一つの代替によれば、抽出装置は、ファンにより生成された空気流のための密閉パイプを備え、そのパイプは、ファン、蒸発器および圧縮器の間で空気流を流す。
【０００８】
一つの代替によれば、抽出装置は、
圧縮器により圧縮された流体を凝縮するための熱伝導流体凝縮器と、
蒸発器の上流の熱交換流体注入口と、
凝縮器の下流の熱交換流体排出口と、
を備え、熱交換流体注入口および熱交換流体排出口は、排出口から注入口の方向へ熱交換流体が戻る回路に接続されるように設けられる。
【０００９】
一つの代替によれば、抽出装置は、
圧縮器によって圧縮された流体を凝縮するための凝縮器と、
凝縮器によって凝縮された流体を凝縮器の下流で脱水するための脱水器と、
脱水器により脱水された流体を膨張させるための膨張器と、
膨張器により膨張された熱伝導流体の圧力に応じて脱水器の閉塞を測定するための圧力スイッチと、を備える。
【００１０】
一つの代替によれば、抽出装置は、空気から飲料水を製造するためのシステムにおいて、交換可能に設置されるように構成されるブロックで配置される。
【００１１】
本発明はまた、空気から飲料水を製造するためのシステムであって、
空気に含まれる水を抽出するための前述の装置と、
システムの外部の空気の温度および湿度を測定するためのセンサと、
センサにより提供される温度および湿度の測定値に応じて空気に含まれる水の抽出を制御する、制御ユニットと、
を備える、空気から飲料水を製造するためのシステムを提案する。
【００１２】
一つの代替によれば、空気に含まれる水を抽出するための装置は、蒸発器の上流に熱伝導流体を選択的に戻すために、蒸発器と圧縮器との間に熱伝導ソレノイドバルブを含み、そのソレノイドバルブは、蒸発器の温度を調節するように制御される。
【００１３】
一つの代替によれば、システムは、フィルタを備え、そのフィルタは、空気流を物理的に濾過するための部分および空気流の衛生的処理をするための部分を含み、衛生的処理をする部分は、細菌または微生物発生を回避するように処理された物理的フィルタ、プラズマフィルタ、および紫外線発光ダイオードフィルタからなる群から選択される。
【００１４】
一つの代替によれば、システムは、
抽出した水を収集するための収集槽であって、その収集槽は、抽出した水を重力により収集する、収集槽と、
収集槽により収集した水を貯蓄するための貯蓄槽と、
貯蓄槽に貯蓄した水をポンプでくみ上げるためのポンプと、
をさらに備え、ポンプは、貯蓄した水を使用者により消費されるように設けられ、ポンプの作動時間によりポンプでくみ上げられる水の体積を決定し、制御ユニットが、消費のためにポンプでくみ上げられる水の体積に応じて抽出装置による空気に含まれる水の抽出を制御する。
【００１５】
一つの代替によれば、システムは、貯蓄槽に貯蓄された水のための冷却回路をさらに備え、その冷却回路は、
貯蓄された水を冷却するための貯蓄槽の外側に巻かれた熱交換器と、
貯蓄された水より低い温度を有する熱伝導流体を熱交換器に提供するための冷却回路の残部と、を備える。
【００１６】
一つの代替によれば、システムは、貯蓄された水を処理するためのフィルタのセットをさらに備え、そのフィルタのセットは、セディメントフィルタ、圧縮された活性炭フィルタ、および限外濾過膜からなる群から選択される少なくとも１つのフィルタを含み、そのフィルタのセットはポンプによりくみ上げられた水を濾過する。
【００１７】
一つの代替によれば、システムは、
フィルタのセットにより濾過された水のための貯蓄槽における放出回路と、
放出回路と、濾過された貯蓄された水を使用者が消費するための消費回路との間で濾過された水を切り替えるためのソレノイドバルブと、をさらに備える。
【００１８】
一つの代替によれば、システムは、貯蓄層に貯蓄された水の衛生的処理をするための紫外線ランプを備える。
【００１９】
本発明はまた、空気から飲料水を製造するための機械であって、その機械は、
貯蓄槽を含む下側部分と、抽出装置を含む中間部分と、制御ユニットを含む上側部分とを含む、３つの部分に高さ方向に分けられる、空気から飲料水を製造するための上述のシステムと、
機械の異なる部分に対するシステムのケーブルの経路のための中空プラスチック管を含む構造と、
を含む、機械を提案する。
【００２０】
一つの代替によれば、サーバー上の集中された情報ストレージまたはリモートトラブルシューティングユニットにリモートで情報を送信するためのリモート通信デバイスを備え、そのリモート通信デバイスは、送信／受信搬送電流アウトレット、ＧＰＲＳ送信器／受信器、ＷＩＦＩ送信器／受信器からなる群から選択されるリモート通信部を含む。
【００２１】
本発明はまた、飲料水を製造するための機械についての情報をリモート処理するためのアセンブリであって、そのアセンブリは、
上述の機械であって、その機械の制御ユニットが、機械の作動および異常状態についてのデータ収集部を含む、上述の機械と、
情報をリモート送信するためのデバイスであって、そのデバイスは、機械の外部にあり、搬送電流によりデータ収集部と通信するように設けられ、そのデバイスは、収集部により収集されたデータおよびデバイスにより受信されたデータをリモート送信するためのモデムを含む、デバイスと、
モデムを用いて送信デバイスにより送信されたデータを処理するためのソフトウェアと、
を含む、アセンブリを提案する。
【００２２】
本発明はまた、上述のアセンブリを用いて飲料水を製造するための機械からの情報をリモート処理するための方法であって、その方法は、
機械のデータ収集部によって機械の作動および異常状態に関するデータを収集する工程と、
データ収集部により収集されたデータを、搬送電流により、送信デバイスに通信する工程と、
モデムを介して、送信デバイスによりデータをリモート送信する工程であって、データは、処理ソフトウェアにより処理される、工程と、
を含む、方法も提案する。
【００２３】
一つの代替によれば、方法は、データをリモート送信する工程の後、情報をリモート送信するための送信デバイスにより機械の制御を適用するように命令を送信することによって機械の制御を適用する工程をさらに含む。
【００２４】
本発明の他の特徴および利点は、例としておよび図面を参照としてのみ提示する本発明の実施形態の以下の詳細な説明を読んで明らかになるだろう。
【図面の簡単な説明】
【００２５】
【図１】空気に含まれる水を抽出するための装置の作動図である。
【図２】流体接続を線で示している、飲料水を製造するためのシステムの作動図である。
【図３】電気および電子ケーブルを線で示している、飲料水を製造するための機械のケーブルの作動図である。
【図４】強制作動および自動作動の間のシステムの作動フローチャートである。
【発明を実施するための形態】
【００２６】
本発明は、凝縮によって空気に含まれる水を抽出するための装置に関する。
【００２７】
図１を参照すると、空気に含まれる水を抽出するための装置３０はファン２８を備える。ファン２８は、空気流に含まれる水を抽出するための装置３０の内側に空気流を生じさせる。空気流は図１において破線で示す。空気流の方向は、装置３０を通る空気流の上流および下流の実線の矢印で示す。
【００２８】
装置３０はまた、熱伝導流体蒸発器３２を備える。蒸発器３２は、熱伝導流体を空気流と交換するための熱交換器である。蒸発器３２における熱伝導流体は、空気流に含まれる水を凝縮するために蒸発器３２の下流の空気流の温度より低い温度である。空気流は蒸発器３２と接触すると冷却し、空気流が熱伝導流体に送られることにより熱エネルギーが損失し、蒸発する。
【００２９】
蒸発器３２は水を凝縮することによって空気流から水を抽出する。空気中の水の飽和蒸気圧はその温度で下がる。高温の空気が含有できる量よりも、低温の空気が気体で水を含有できる量は少ない。このように、冷却することによって空気流は閾値温度以下に達し、空気中の気体形態の水の量は、空気がその温度で含有できる水の閾値を超える。露点に達すると、空気の容量閾値を超える水が凝縮する。したがって、最初に空気流中に気体形態で含まれる水の一部は蒸発器３２と接触すると液体になる。
【００３０】
装置３０はまた、熱伝導流体を圧縮するための圧縮器３４を備え、該圧縮器は蒸発器３２の下流の空気流に配置される。蒸発器３２の後、空気流は冷え（例えば約１１℃の温度で）、圧縮器３４を冷却するために圧縮器３４上を直接通過する。
【００３１】
このように、装置３０が作動されている場合、圧縮器３４は絶えず冷却される。水が抽出された空気流は熱を放出し、圧縮器３４に送られ、４５℃以下の温度に圧縮器を維持できる。この構成は圧縮器３４の過熱の問題を回避する。このような構成において、圧縮器３４は、絶えず冷却し、安全な作動についての閾値条件、例えば７５℃に到達しない。したがって、抽出装置３０の作動時間は増加でき、抽出される水の量は多くなる。したがって、装置３０は、安全性の理由のために強制的停止に供されず、水を抽出するための条件が理想的になり得る。したがって、装置３０は、条件が理想的である時に抽出水を凝縮できるので、圧縮器３４およびファン２８の作動エネルギー消費を制限する。
【００３２】
好ましくは、圧縮器３４は、熱伝導流体のための蒸発器３２の下流に配置される。圧縮器３４は、空気流と共に、蒸発器３２によって蒸発される熱伝導流体を含む。次いで、熱伝導流体回路が、蒸発器３２の上流に熱伝導流体を戻すように設けられてもよい。次いで、熱伝導流体は熱力学サイクルを通る。
【００３３】
したがって、抽出装置３０により、機械の作動エネルギー単位当たりに抽出される水の量を向上させることが可能となる。したがって、この装置３０を、水を製造するためのシステムまたは機械に一体化することにより、向上した性能で空気からの水の生成を得ることが可能となる。
【００３４】
ファン２８は、蒸発器３２および圧縮器３４に対して空気流の上流に配置され得る。ファン２８は、蒸発器を通過する空気流を吸引するというより、蒸発器３２に対して空気流を押し進める。このような構成により、蒸発器３２に対する空気のより十分な通過が可能となる。なぜなら、同じエネルギー消費に関して、蒸発器３２に対して空気を押し進めるファンは、蒸発器３２で空気を吸引するファンよりも出力が良いからである。
【００３５】
装置３０は、ファン２８によって生成される空気流のための密閉パイプを備えてもよい。パイプは、ファン２８、蒸発器３２、および圧縮器３４の間で空気流を流す。このように、抽出装置３０は、ファン２８、蒸発器３２、および圧縮器３４の間で損失が制限された気密区画である。空気流の全ては蒸発器３２を通り、次いで圧縮器３４を通る。これにより、密閉パイプを備えない抽出装置より１５〜２０％近く水の抽出の増加が得られる。この説明の後の表Ｉに対する参照において、密閉パイプを有さない従来の方法の水の生成システムと、密閉パイプを備える本発明の対象であるシステムとの間で比較試験を行った。両方のシステムは、水機械の同じケーシング（トリムボックス）に配置される。従来のシステムは密閉パイプに配置されないのに対して、本発明の対象であるシステムは、上記のように密閉パイプに配置される。空気注入口および空気排出口に対応する密閉パイプの開口部のみが開口する。出力はｄｍ３／ｈの生成に対応する。
【００３６】
装置３０は、熱伝導流体を凝縮するための凝縮器３６を備えてもよい。凝縮器３６は、熱伝導流体のための圧縮器３４の下流に配置される。すなわち、凝縮器３６は圧縮器３４によって圧縮された流体を凝縮する。
【００３７】
凝縮器３６は好ましくは、空気流において、特に装置３０の密閉パイプにおいて圧縮器３４の下流に配置される。凝縮器３６に存在する、圧縮された熱伝導流体は、その熱を、凝縮器３６と外側で接触する空気流に移す。圧縮器３４の後、まだ気体形態で存在し得る流体は、凝縮器３６を構成する管内を進むにつれて徐々に液化する。その排出口において、熱伝導流体は液体で温度が高い。凝縮器３６は熱伝導流体の熱力学サイクルに寄与する。
【００３８】
装置３０は、熱伝導流体を凝縮するための凝縮器３６に加えて、熱伝導流体注入口および熱伝導流体排出口を備えてもよい。熱伝導流体注入口は蒸発器３２の上流に配置される。熱伝導流体排出口は凝縮器３６の下流に配置される。注入口および排出口は、排出口から注入口の方向へ熱伝導流体を戻す回路に接続されるように設けられ、熱伝導流体が熱力学サイクルを通過できるようにする。
【００３９】
回路は、凝縮器３６によって凝縮された流体を脱水するための脱水器４２を備えてもよい。脱水器は凝縮器３６の下流にある。
【００４０】
回路は、脱水器４２により脱水された流体を膨張させるための膨張器を備えてもよい。膨張器４４は蒸発器３２の上流にある。膨張器４４は熱伝導流体のための顕著な圧力降下を提供する。この圧力降下により、蒸発器３２を通過する空気流の値より低い値まで温度低下が引き起こされる。膨張器４４の下流で、熱伝導流体は、例えば主に１５〜２０％の蒸気形態を含む液体形態で蒸発器３２に再び入る。膨張器４４は、温度自動調節膨張器、電子的膨張器、キャピラリー膨張器からなる群から選択されてもよい。
【００４１】
電子的膨張器は、温度プローブおよび調節器に接続される場合、正確かつ最適な調節を可能にする利点を有する。キャピラリー膨張器は、制限された値段および実装を有する簡単な設計（１．２ｍｍの直径を有する単一の管）の利点を有する。温度自動調節膨張器は空気の熱チャージに応じて流体流量を調節する利点を有する。飲料水を製造するためのシステムに関して、温度自動調節膨張器が好ましい。
【００４２】
脱水器４２は特に、温度自動調節膨張器の使用の間、有用である。実際に、温度自動調節膨張器を有するいわゆる「液体ボトル」（フランス後で「ｂｏｕｔｅｉｌｌｅ  ｌｉｑｕｉｄｅ」）リザーバを有することが好ましい。次いで、熱伝導流体は、圧縮器３４を潤滑させるために熱伝導流体回路に提供される油と混合される、液体ボトルに起因して微量の湿気を含有してもよい。したがって、これにより、圧縮器３４の電気モータの銅線の保護鞘をエッチングする非常に強力な酸が生成される。したがって、多孔性および親水性材料において湿気を捕捉することが好ましい。さらに、銅粒子および他の粉末がアセンブリに導入されてもよく、それ故、脱水器４２の濾過篩により捕捉される。「ボトル脱水器」は、単一容量内の熱伝導流体に関して、濾過、脱水および緩衝容量をもたらす利点を有する。実際に、膨張器４４は、空気の温度に応じて、多かれ少なかれ熱伝導流体を移動させる調節部であり、流体流量を変化させる。この変化はボトルの容積により吸収され、膨張器４４に対する熱伝導流体の供給を確実にする。
【００４３】
回路は圧力スイッチ４８を備えてもよい。圧力スイッチ４８は好ましくは、熱伝導流体回路の低圧部分において、膨張器４４の下流および蒸発器３２の上流にある。圧力スイッチ４８により、熱伝導流体回路における流体の圧力降下を測定することが可能となる。脱水器４２のフィルタが閉塞する場合、熱伝導流体の圧力が低下する。次いで、脱水器４２の閉塞は熱伝導流体の圧力に応じて決定される。
【００４４】
このように、熱伝導流体の圧力が特定のレベル、例えば２バール以下に降下する場合、圧力スイッチ４８により知らせられる制御ユニット８０が圧縮器３４を切断し得る。圧縮器３４に対する損傷は制限され、脱水器４２のフィルタの閉塞を示すことが可能となる。圧縮器の寿命が向上する。
【００４５】
熱伝導流体を戻す回路は、抽出装置３０とは独立して外側に配置されてもよい。上流に流体を戻す回路のこのような配置により、小型ブロックの形態で装置を有することができる。そのブロックは、空気から飲料水を製造するためのシステムにおいて交換可能に設置されるように構成される。したがって、そのブロックは、飲料水を製造するためのシステムの残りから独立しており、例えばメンテナンスの必要に応じて容易に置換または変更され得る。
【００４６】
代替として、熱伝導流体を戻す回路は装置３０に含まれてもよい。次いで熱伝導流体の注入口および排出口はもはや必要とされない。その回路はさらに、上記の脱水器４２、膨張器４４、圧力スイッチ４８を備えてもよい。上記の飲料水を製造するためのシステムに設置される交換可能なブロックの形態の配置もさらに可能である。
【００４７】
飲料水を製造するためのシステムを作動図により図２に示す。そのシステムは上記の抽出装置３０を備える。そのシステムはまた、システムの外側の空気の温度および湿度を測定するためのセンサ（参照番号８６として図３に示した）を備える。湿度測定または湿度は、空気湿度、すなわち、空気に含まれる気体の水の量を特徴付ける。温度および湿度測定センサ８６は、システムにおいて空気流注入口に設置されてもよい。
【００４８】
そのシステムはまた、制御ユニットを備える。図３は制御ユニット８０を示す。制御ユニット８０は、抽出装置３０による空気に含まれる水の抽出を制御する。装置３０による空気に含まれる水を抽出することの制御は、センサ８６により提供される温度および湿度測定に応じて行われてもよい。温度（例えば少なくとも１５℃）に応じて、および湿度（例えば少なくとも３０％）に応じて、抽出装置３０は制御ユニット８０により実行を制御される。異なる作動値は本明細書以下でより詳細に記載する。センサ８６により、抽出された水の出力を即座に測定することができる。制御ユニット８０は、センサ８６からの情報を用いて機械の出力を最大限に最適化する。したがって、制御ユニット８０は理想的な露点を測定する。
【００４９】
理想的な露点を得るために、いくつかの部分の情報を考慮に入れる。理想的な露点は、注入口における空気温度と異なり、平均９℃から１２℃の間である。蒸発器３２に侵入してくる空気の温度が２４℃である場合、理想的な温度は蒸発器で１２℃から１５℃の間でなければならない。各々の再び入ってくる空気の温度に関して、蒸発器３２での温度は自動的に計算される。入ってくる空気の温度と蒸発器３２の温度との間の異なる適合値（ｍａｔｃｈ  ｖａｌｕｅ）を本明細書以下に記載する。
【００５０】
制御ユニット８０は、例えば蒸発器３２と圧縮器３４との間の装置３０のソレノイドバルブ４０を用いて、蒸発器３２に入ってくる熱伝導流体の温度（蒸発器３２の温度）の調節を制御する。したがって、ソレノイドバルブ４０は、蒸発器３２の下流および圧縮器３４の上流にある。ソレノイドバルブ４０により、図１に示すように蒸発器３２の上流に熱伝導流体を選択的に戻すことが可能となる。温度が理想的な露点に対して非常に低い場合、少量の高温の熱伝導流体が、（例えば蒸発器３２により蒸発されている気体で）蒸発器３２の上流に注入されて温度が増加する。
【００５１】
０℃より高い温度で水を抽出することが好ましい。熱伝導流体の温度が０℃より高い限り、空気に含まれる水の凝縮、抽出は最適である。温度が０℃以下に下がると、凝縮した水は凍結し、蒸発器３２を通る空気の流量を低下させる。次いで蒸発器３２の注入口における熱伝導流体の温度はさらに低下し、抽出された水のさらにより顕著な凍結が生じる。
【００５２】
したがって、制御ユニット８０によって計算される、熱伝導流体の理想的な温度が非常に低い、例えば５℃付近である場合、その制御ユニット８０はシステムを停止するように構成される。
【００５３】
熱伝導流体についての温度センサは好ましくは、制御ユニット８０が熱伝導流体の温度で制御ループを有することができるように蒸発器３２の下流に設けられる。
【００５４】
制御ユニット８０は、使用者による水の消費に応じて空気に含まれる水の抽出を制御することができる。次いで制御ユニット８０は、通常使用者により消費される水の量に水の抽出を制限する。１日当たりの人による水の消費は１．５リットルと見積もられる。水の消費はまた、例えば詳細な説明の続きに記載されているように、制御ユニット８０に利用可能な異なる測定値を用いて決定されてもよい。したがってシステムのエネルギー消費は最適化される。
【００５５】
抽出装置３０に入ってくる空気流は好ましくは濾過される。実際には、空気の量が多くなればなるほど、空気から抽出される水の量は多くなる。図１を参照すると、システムはフィルタ４６を備える。フィルタ４６は好ましくは２つの部分を含む。フィルタの第１の部分は物理的フィルタの役割を果たす。それは、固体粒子が空気流に侵入するのを防ぐことができる。フィルタの第２の部分は空気流の衛生的処理、空気の抗菌および殺菌処理の役割を果たす。
【００５６】
衛生的処理のための部分は、細菌または微生物発生を回避するように処理される物理的フィルタ、プラズマフィルタ、紫外線発光ダイオードフィルタからなる群から選択されてもよい。水が抽出される空気流の処理に関して、そのシステムは空気処理システムであってもよい。
【００５７】
処理される物理フィルタの場合、フィルタの材料は、あらゆる細菌または微生物の発生を防ぐように作用する特定の製品を用いて処理される。フィルタの閉塞を検出するためにフィルタの下流に圧力スイッチを設けてもよい。したがって、フィルタの下流の異常な圧力増加が、閉塞したフィルタに起因して減少した空気の通過により引き起こされ得る。また、圧力スイッチにより、ファンの故障を検出することも可能となり得る。
【００５８】
プラズマフィルタの場合、例えば銅から作製された電線がフレームに取り付けられる。これらの電線は電極と呼ばれる。フレームの底部に、負の伝導性電荷を有する装置がハニカム形状で取り付けられる。それはファン２８により吸引される空気の全てが通るように配置される。電極は、それらが全表面の約４０％を覆うように特定の構成を有する。したがって、通過する空気は完全に処理される。これらの電極の間で、大きな電場が生成される。この電場は、プラズマを生成する、多量の正および負イオンを生成するのに十分強力である。プラズマは中性気体形態であるが、非常に強力な抗菌および殺菌作用を有する。したがって、通過する空気は、それらの空気から抽出される水になる前に、全ての細菌、胞子、および病原菌が取り除かれる。フィルタ４６の第１の部分が取り除かれる場合、全体のシステムの電力供給を切断するために安全なコンタクトが設置されてもよい。このコンタクトは、電力供給を変更するために空気フィルタにアクセスを与えるドアに設置されてもよい。
【００５９】
紫外線発光ダイオード（ＵＶＬＥＤ）の場合、ＵＶＬＥＤはフレームに取り付けられる。放射性金属格子装置がフレームの底部に取り付けられる。したがって、ＵＶＬＥＤからの放射は、空気流の通過部分全体にわたって拡散される。したがって、その部分を通過する空気流は処理される。ＵＶＬＥＤにより放射される光線は例えばＵＶ−Ｃ線である。ＵＶ−Ｃ線は、非常に強力な抗菌および殺菌作用を有すると認識されている。空気流は、空気から抽出される水を汚染し得る全ての細菌、胞子、および病原菌が取り除かれる。ＵＶＬＥＤは、既存のＵＶ−Ｃ線ランプと比べて非常に長い寿命（約２０年）を有する利点を有する。したがって、システムの維持、紫外線フィルタの交換は非常に減少される。
【００６０】
密閉パイプおよび空気流の上流に配置されるファン２８を有する装置３０の製造により、装置３０のパイプの内側にわずかな空気の超過気圧を維持することが可能となる。パイプの外側の空気はパイプの内側の空気より低い圧力を有する。したがって、装置３０のパイプのわずかな密閉の欠陥の事象でさえも、装置３０の外側の空気が、ファン２８を通過し、それにより、ファン２８の上流に配置されるフィルタ４６を通過することによってパイプの内側に侵入し得るだけである。フィルタはまた、ファン２８と蒸発器３２との間に配置されてもよい。したがって、水が抽出される空気の全ては衛生的処理を受ける。図２を参照すると、このシステムは、抽出された水を重力により収集する収集槽３８を備えてもよい。収集槽３８は、蒸発器３２で抽出された水の流れ回収するために、装置３０において蒸発器３２の下に配置されてもよい。収集槽３８は、蒸発器３２の下のスリッド状ドロワー（ｄｒａｗｅｒ）であってもよい。収集槽３８は、その底に穴を有するダイヤモンドポイントの形態をとってもよい。したがって、空気から抽出された水は穴の方へ方向付けられる。
【００６１】
このシステムは、収集槽３８により収集された水のための貯蓄槽６０を備えてもよい。貯蓄槽６０は好ましくは収集槽３８の真下に配置される。これにより、管に関して利点を得ることができ、アセンブリを簡単にできる。例えば、連続製造の間、専門の作業者が、溶接および接続を実施せずにシステムを準備できる。
【００６２】
このシステムは、貯蓄槽６０に貯蓄された水をくみ出すためのポンプ５６を備えてもよい。次いで、水のくみ出しが、使用者により貯蓄された水を消費するために行われる。ポンプ５６は一定の流速を有してもよい。その場合、ポンプの作動時間からくみ出される水の体積を測定できる。くみ出された水の体積により、消費される水の量が決定される。次いで使用者による消費は制御ユニット８０により考慮に入れられてもよい。次いで制御ユニット８０は、消費するためにくみ出される水の体積に応じて抽出装置３０による空気に含まれる水の抽出を制御してもよい。使用者による消費に応じて水を抽出する制御を本明細書以下により詳細に記載する。
【００６３】
このシステムは、貯蓄槽６０に貯蓄された水を冷却するための冷却回路を備えてもよい。次いで冷却回路は、貯蓄された水を冷却するために貯蓄槽６０の外側に巻かれた熱交換器６４を備えてもよい。好ましくは、熱交換器６４は銅コイルの形態をとってもよい。次いで、熱交換流体は貯蓄槽６０の水と接触できず、漏出した場合の抽出された水の汚染の問題を防ぐ。
【００６４】
冷却回路の残部（ｒｅｓｔ）６６は、貯蓄された水より低い温度で熱交換流体を熱交換器６４に提供する。
【００６５】
冷却回路の一実施形態によれば、貯蓄槽６０は冷却流体が通過する銅コイルにより囲まれている。使用者により所望される温度まで水の冷却は、貯蓄槽６０に提供されている温度プローブにより操作されてもよい。
【００６６】
優れた水質を保証するために、貯蓄槽６０に見られる水を濾過および処理することが好ましい。したがって、このシステムは、水を貯蓄するための処理フィルタのセット７０を備えてもよい。フィルタのセット７０は好ましくは、セディメントフィルタ７２、圧縮された活性炭フィルタ７４、および限外濾過膜７６からなる群から選択されるフィルタの１つを含む。セディメントフィルタ７２は好ましくは、０．５ミクロンの濾過度を有する。限外濾過膜７６は好ましくは、０．０１μｍの濾過度を有する。
【００６７】
また好ましくは、フィルタのセット７０は上記の群からの３つ全てのフィルタを含む。公知のシステムは浸透膜を備えた濾過システムを使用している。浸透膜は時間と共に複雑性を生じ得る。１リットルの浸透水を生成するために、２リットルの水が排出される。一般に、家庭用施設において、その水は下水道に排出される。従来の水機械において、これらの２リットルは第１の槽に戻り、凝縮した水を回収する。細菌発生が生じた場合、第１の槽に戻る膜からの廃水は、まさに抽出されている純水を汚染する。したがって、浸透膜を用いずにフィルタを構成することが好ましい。
【００６８】
水を再ミネラル化するために第４のフィルタを用いて濾過を完了してもよい。そのフィルタはビタミンまたは医薬と関連させてもよい。
【００６９】
ポンプ５６により、貯蓄槽６０の水を濾過してもよい。次いでフィルタのセット７０は、図２に示すようにポンプ５６の下流に配置される。
【００７０】
このシステムは、フィルタのセット７０によって濾過された水のための放出回路を貯蓄槽６０において備えてもよい。濾過された水は貯蓄槽６０に放出される。次いで貯蓄された水は飲料可能に維持される。水は、使用者による消費のために水質を維持するために一定の間隔で濾過されてもよい。例えば、濾過は、１時間毎に１５分間、行われてもよい。したがって、槽内の水は、１日の間に２４回再生される。次いで好ましくは、濾過された水を、放出回路と、使用者により消費される濾過された貯蓄された水のための消費回路との間で切り替えるためのソレノイドバルブ７８が設けられる。したがって、消費される水はポンプ５６によりくみ出され、次いで、フィルタのセット７０により濾過され、最後に、使用者による要求に応じてソレノイドバルブ７８により切り替えられ、使用者により消費される消費回路に入る。ソレノイドバルブ７８およびポンプ５６の同時作動の時間により、使用者により消費される水の体積を推定できる。あるいは、消費される水の体積は、蛇口の直前で、かつ切り替えソレノイドバルブ７８の後に配置される水道メータにより計測されてもよい。ソレノイドバルブ７８が作動されない場合、ポンプ５６によりくみ出される水は貯蓄槽６０に戻り、放出される。
【００７１】
制御ユニット８０は、抽出装置３０が開始された直後に、貯蓄槽６０に貯蓄される水のくみ出しを制御できる。次いで抽出される水は即座に処理される。
【００７２】
最小の水レベル、例えば２リットルが貯蓄槽６０に達する場合のみ、制御ユニット８０は水のくみ出しを制御できる。これにより、空になった場合にポンプ５６が作動することを防ぐことができる。最小の水レベルが満たされている場合、本明細書以下に記載するレベルセンサを用いて測定できる。
【００７３】
好ましくは、フィルタ７２、７４、７６は、くみ出された水の回路のコネクタの切断を必要とせずに互いに独立して接続する。フィルタのセット７０は、１つの水注入口および１つの水排出口のみを有するヘッドを備えてもよい。フィルタのセット７０のヘッドは、各々のフィルタを独立して交換するためのコネクタを備える。
【００７４】
貯蓄槽６０の底は、濾過吸引口の方へ水を誘導するためにわずかに傾いていてもよく、貯蓄された水の一部が停滞することを防ぐ。
【００７５】
このシステムは、貯蓄槽６０に貯蓄される水を衛生的処理するための紫外線ランプを備えてもよい。好ましくは、紫外線ランプ５８は、くみ出された水の貯蓄槽６０への放出部付近に配置される。このように、水が濾過された後、紫外線ランプ５８に直接流れるかまたは注がれることによって水は槽に戻る。フィルタにより処理される水の体積全ては、紫外線照射により処理され、抗菌し、または微生物発生を防止する。
【００７６】
一定の流速を有するポンプ５６または流量計に接続されるポンプ５６を用いることにより、フィルタのセット７０および／または紫外線ランプ５８を通過する貯蓄される水の量が測定できる。処理される水の量のこのような測定により、特に水処理膜の寿命の最後において、システムのメンテナンスの発生に関する情報を使用者に通知することまたは送信することによって、システムの良好な維持が可能となる。
【００７７】
紫外線ランプ５８は好ましくは、より長い寿命期間を有するＵＶＬＥＤアセンブリと交換され、それにより、システムのメンテナンスコストを制限する。
【００７８】
このシステムは、貯蓄槽６０に貯蓄された水のためのレベルセンサ６８を備えてもよい。レベルセンサ６８は、電子レベルセンサおよび膜レベルセンサの中から選択されてもよい。好ましくは、レベルセンサは、貯蓄された水のレベルの信頼できる精度に関する膜レベルセンサである。利用可能な水の量についての情報は水圧に基づく。例えば、１リットルの水が１．６７ｍｂａｒの圧力を生じるとき、センサが４．１７ｍｂａｒを読み取ると、レベルは２．５リットルである。この測定は信頼性があり、かつ正確であり、センチリットルの範囲内で使用者に知らせることができる。
【００７９】
このシステムにおいて、レベルセンサ６８は好ましくは、貯蔵槽６０の底部において、測定誤差を制限するために、水をくみ出すための水吸入口から間隔を空けられている。
【００８０】
このシステムは、貯蔵槽６０のためのオーバーフローセンサ６２を備えてもよい。好ましくは、オーバーフローセンサ６２はブレードセンサである。ブレードセンサは、貯蔵槽６０の頂部において管に一体化されてもよい。貯蓄槽６０が抽出された水で満たされている場合、オーバーフローセンサ６２と一体化している管はまた、排出管として機能してもよい。このパイプはＴ字状で配備されてもよい。
【００８１】
レベルセンサ６８および／またはオーバーフローセンサ６２により、貯蓄槽６０に貯蓄された水の量を測定することが可能となる。その水の量に応じて、制御ユニット８０は、空気に含まれている水の抽出を制御または停止できる。レベルセンサ６８およびオーバーフローセンサ６２は警音を鳴らすことができ、および／または空気に含まれている水の抽出の作動を停止できる。オーバーフローセンサ６２は、レベルセンサ６８の異常の事象に有用なレベルセンサの冗長を可能にし、それによって、メンテナンスコストを制限する。
【００８２】
冷却回路が貯蓄された水を冷却するために使用される事象において、貯蓄槽６０における水の量を最小に貯蓄することのみが好ましい。次いで、貯蓄された水を冷却するためのシステムのエネルギーコストが制限される。好ましくは、貯蓄される水の量は、使用者により消費される水の量の測定値に応じて制御ユニット８０により設定される。
【００８３】
このシステムは、高さ方向に３つの部分に分けられる機械で配置されてもよい。各部分は、システムの異なる部材を配置するためのプレートを備える。これにより、製造の間、各プレートを別々に取り付けることができ、次いでそれらを組み立て、製造の間、非常に顕著に時間を節約することが示される。
【００８４】
図３を参照すると、機械は好ましくは以下のように配置される：
制御ユニット８０が設置されるプレートを有する上部（制御ユニット８０はプリント回路および電源ボードおよび制御回路を備えてもよい）；
装置３０および貯蓄された水を冷却するための冷却回路の残部６６を備える中間部；
貯蓄槽６０、熱交換器６４および濾過膜（フィルタのセット７０および紫外線ランプ５８、ポンプ５６、ソレノイドバルブ７８）が設置されているプレートを備える下部。
【００８５】
このようなシステムの構成は利点がある。貯蓄槽６０は下部に配置され、したがって、装置の全てにより放出される熱は機械で起こり、水の冷却に影響を与えない。次いで冷却回路の残部６６は少しの作動エネルギーの消費で作動する。さらに、貯蓄槽６０に貯蓄されている水の漏れは、装置の残部の上を流れることができず、システムに対する損傷を制限する。
【００８６】
構造および機械は、好ましくは、塩化ポリビニル（ＰＶＣ）から製造された中空のプラスチック管を備えてもよい。ＰＶＣ管は通常、家庭内で水を流すかまたは循環させるために使用される。そのような管の材料は、ポリプロピレンまたは竹などの天然の材料からなる群から選択されてもよい。それらは、誰にでも使用しやすく、従来の金属のこぎりまたは専用の管切断器を用いることにより簡単に所望のサイズに切断でき、強くて軽い利点を有する。これらの管の内側は中空であり、全ての電気ケーブルを通すことができる。したがって、それらは各プレートの電気ケーブルを絶縁する。
【００８７】
さらに、ＰＶＣ管は、Ｔ字状またはスリーブなどの異なる形状で存在し、機械を構成するプレートを配置することを容易にする。したがって、各プレートの間に管スリーブを配置することが可能となり、機械をプレートごとに段階的に設定することができる。したがって、機械の構造は矩形プレートの４つの角に配置される４つの管から構成されてもよい。これにより、それらを単離している間、従来の電気ケーブルと電子ケーブルとを区別することが可能となる。電気ケーブルは、４つの管のうちの１つにより上部プレートに運ばれ、電子ケーブルは別のものにより運ばれる。各段階において、Ｔ字により、ケーブルを上部プレートの方へ方向付けることができる。このように、ケーブルは準備され、機械の取り付け全体の間、保護される。最後の上部プレートが配置される場合、ケーブルは制御ユニット８０に接続される状態にある。
【００８８】
したがって、機械の異なる部分に対するシステムのケーブルの通路のための塩化ポリビニル（ＰＶＣ）中空管構造により、システムの流体回路からシステムのケーブルを単離しながらシステムのケーブルを延ばすことが可能となる。
【００８９】
機械は、前面のその上部に、使用者に対して機械の作動に関する情報を通信する液晶ディスプレイ（ＬＣＤ）８２を備えてもよい。外部温度および湿度測定値が使用者に示されてもよい。また、例えば０〜１００％のスケールで、可能な水抽出パーセントが示されてもよい。このように、使用者は機械が効果的であるか否かを正確に知らせられる。
【００９０】
また、貯蓄された水の量に関する指標が、貯蓄された水の温度と共に使用者に知らせられてもよい。機械の各々の重要な要素、または部材：ポンプ、圧縮器、ソレノイドバルブの作動、およびフィルタの状態は監視される。各部分についていくつかの診断が決定されてもよい。
【００９１】
機械の部分：圧縮器３４、冷却回路の残部６６の圧縮器、貯蓄された水をくみ出すためのポンプ５６、およびファン２８に関して、異なる特徴が、それらの部材の各々についての電流および／または電圧センサ、熱伝導流体回路における圧力センサ（高および低）および貯蓄された水についての冷却回路、フィルタ４６の下流の空気圧力センサを用いて測定されてもよい。次いで以下の特徴を決定することができる：
ＤＣＥ００１：圧縮器３４がその作動範囲内であるにも関わらず、圧縮器３４の電源電流が測定されない場合、圧縮器３４についての電力なし、電流測定なし；
ＤＣＥ００２：正常な作動の間、電圧および強度について記録される値が異常に増加する場合、測定される異常な強度；
ＤＣＥ００３：測定される圧力が校正値の閾値以下である場合、熱伝導流体回路の低圧センサの校正値が異常である；
ＤＣＥ００４：測定される圧力が校正値の閾値以下である場合、熱伝導流体回路の高圧センサの校正値が異常である；
ＤＣＦ００５：冷却回路の残部６６の圧縮器についての電力なし、電流測定なし；
ＤＣＦ００６：冷却回路の残部６６の圧縮器について測定される異常な強度；
ＤＣＦ００７：圧力測定が校正値の閾値以下である場合、貯蓄された水についての冷却回路の低圧センサの校正値が異常である；
ＤＣＦ００８：測定される圧力が校正値の閾値以上である場合、貯蓄された水についての冷却回路の高圧センサの校正値が異常である；
ＤＰ００９：ポンプ５６が作動すべきでさえ、ポンプ５６の電源電流が測定されない場合、ポンプ５６がその作動範囲内にあるにも関わらず、ポンプ５６は停止される；
ＤＰ０１０：水を得るために使用者が外側のボタンを押すが、ポンプは起動されず、流量計は水の通過を記録しない場合、ポンプ５６は異常により停止される；
ＤＰ０１１：貯蓄槽が４分の３満たされていても、２時間より多い時間、流量計が水の通過を記録しない場合、濾過ポンプは異常により停止される；
ＤＰ０１２：流量計が校正した流量の閾値以下の水の低圧を記録する場合、フィルタが閉塞されるかまたはポンプが問題を有する；
ＤＶ０１３：ファンが作動すべきでも、ファンのモータの電源電流が測定されない場合、ファンのモータは異常により停止される；
ＤＶ０１４：フィルタの上流で空気圧が非常に高く、校正した高圧値を超える場合、空気圧は非常に高く、吸引空気は空気フィルタを通過することが困難になり、最終的に詰まるか、または閉塞し、また、その場合、圧縮器およびファンを停止することが可能となる。
【００９２】
水処理および貯蓄部に関して、異なる特徴が決定されてもよい；
ＤＮ０１５：湿度測定レベルおよび空気の温度が水生成に有益であり、圧縮器３４およびファン２８は作動するが、水貯蓄リザーバ６０はもはや満たされていない場合、水レベルセンサ６２は故障している；
ＤＮ０１６：空気から水を抽出するための装置が湿度測定レベルで作動し、空気温度が水生成に有益であるが、リザーバ６０の能力が作動の４時間後に修正されない場合、水レベルセンサ６２は故障している；
ＤＮ０１７：リザーバ６０の能力ディスプレイ値が異常であり、基準値（過電圧問題または電力線外乱に関連され得る）に対応していない場合、レベルセンサは異常であるかまたは不正確な情報がメモリに保存されている；
ＤＴ０１８：ランプの電源電流がその場のセンサにより測定されず、ポンプ５６が作動している場合、ＵＶランプはもはや接続されていないかまたはランプは壊れている；
ＤＴ０１９：ＵＶランプの使用期間（例えば７，６００時間）がＵＶランプの寿命（例えば８，０００時間）に近づく場合、ＵＶランプは変更することを必要とされるかまたは機械全体がメンテナンスを必要とする；
ＤＴ０２０：濾過カートリッジにより濾過される水の量が最大量（例えば１０００リットルの水で与えられる最大使用のために濾過される９００リットルの水）に近づく場合、カートリッジは変更することを必要とされる。
【００９３】
この情報の全ておよび関連する診断の全ては３０日ループにわたって記録され、保存されてもよい。要素、または部材の１つが壊れている場合、その情報が使用者にＬＣＤスクリーン８２で表示されてもよい。異なる発光ダイオードが、機械の種々の部材の作動または操作の指標としてＬＣＤスクリーン８２付近に提供されてもよい。特定の方法で、および表示された問題を解決する条件で、機械の前面のボタンを起動することによって診断ディスプレイを停止することもできる。
【００９４】
その機械は、情報をリモートで送信するためのデバイス８８を含んでもよい。情報は、システムに電力を与える電気ネットワークを介する搬送電流により、またはシステムに一体化されるモデムを介しておよび電話回線を介してメンテナンス部門に送信されてもよい。その機械は、電気コンセントにより、その適切な作動を検証するために簡単にリモートでクエリーされてもよい。したがって、水消費量、電力消費量、製造された数リットルの水、およびエラーメッセージ、または異常な長さの時間のシステムの種々の装置の作動などのいずれかの情報の種類は集中型の形態で収集されてもよい。情報は、サーバーまたはリモートトラブルシューティングユニットで集中型の情報ストレージ領域に送信されてもよい。次いで、リモートで保存された情報は、リモートトラブルシューティングサービスを提供する機能を果たす。したがって、使用者は、介入が機械で行われなければならないことを電話により通知されてもよく、および／または機械についての小売り販売業者のアドレスを与えられてもよい。
【００９５】
したがって、その機械は、搬送電流アウトレットを送信および収集することを含んでもよい。その機械はまた、情報を収集し、送信するＧＰＲＳ（Ｇｅｎｅｒａｌ  Ｐａｃｋｅｔ  Ｒａｔｉｏ  Ｓｅｒｖｉｃｅ）システムを備えてもよい。また、情報を送信するためにＷｉ−Ｆｉ（Ｗｉｒｅｌｅｓｓ  Ｆｉｄｅｌｉｔｙ）接続を用いることを考慮されてもよい。あるいは、データは、コンピュータまたはリムーバブルデータストレージ媒体に接続するために、ユニバーサル・シリアル・バス（ＵＳＢ）ポートを用いて手動で機械から収集されてもよい。
【００９６】
その機械において、情報は、例えば１０秒毎に機械の種々の部材についてクエリーする「データ収集」カードによって収集されてもよい。「データ収集」カードはデータ収集部である。正確に受信される、この情報またはデータは、リモート情報送信デバイス８８にすぐに通信される。
【００９７】
一実施形態によれば、デバイス８８は、機械の使用者が所属しているテレフォンジャックに可能な限り近くに配置するために、機械の外部にあってもよい。デバイス８８は、機械の制御ユニット８０に一体化されている「データ収集」カードからの情報を受信するシステムである。このような実施形態において、制御ユニットと受信システムとの間の収集されたデータの通信は、使用者の家庭用ネットワーク（例えば２２０Ｖネットワーク）で搬送電流により行われてもよい。データフレームは、受信システムによる受信の日付および時間と共に保存される。受信システムは、ＬＣＤタッチスクリーンおよびモデム一体化媒体から構成されてもよい。
【００９８】
その一体化モデムを介する受信媒体は機械の使用者の電話線に接続されてもよく、それにより、機械の作動記録、すなわち、「データ収集」カードにより収集されたデータおよび受信システムにより受信されたデータを、リモートトラブルシューティングユニットまたは機械の製造業社に送信できる。作動記録のこの送信は、長期間、例えば３日間の機能不全の間、自動的に行われてもよい。好ましくは、情報の送信は機能不全の場合にのみ行われてもよい。このように、機能不全が発生する場合、リモートトラブルシューティングユニットは、受信システムにより保存された全てのデータを回収する。したがって、例えば受信されたデータを処理するための処理ソフトウェアが提供されてもよく、これにより、データをアーカイブし、それをプリントし、それからグラフを生成することができる。
【００９９】
１つの好ましい実施形態によれば、受信システムは、機械の検出された機能不全を制御するように機械の制御ユニット８０と通信する。例えば、機械の制御の適用は、水生成を修正すること、強制作動または自動作動、所望の水温度閾値の修正を含んでもよい。このような実施形態によれば、受信システムが、問題を解決するために機械の制御を適用するためのオーダーを得るために、リモートトラブルシューティングユニットを戻すようにコールしなければならない場合、機能不全の間、受信システムは、保存されているデータを、リモートトラブルシューティングユニットに送信し、引き換えにアポイントメント（日付および時間）を受信する。
【０１００】
機能不全が検出された後、およびリモートトラブルシューティングユニットにより有用な介入がリモートで行われない事象において、機械の使用者に機械および情報に対する直接介入が提供されてもよい。したがって、使用者は、機械に介入が行われなければならないことを電話により通知されてもよく、および／または機械の消費部品の小売り業者のアドレスを与えられてもよい。
【０１０１】
リモートトラブルシューティングユニットについての「データ収集」カード、受信システム、およびソフトウェアは、機械からのリモート処理情報についての処理ユニットを形成してもよい。このリモート情報処理アセンブリにより、サポート活動を実施するための介入時間、または技術者をその場に送る前にどんな種類の故障が解決されなければならないかの決定の介入時間を減少させることが可能となる。これにより特に、技術者に機能不全部分を有する介入部位を伝えることを確実にすることによってメンテナンスコストを節約することが可能となり、検出された故障の種類について準備することが可能となる。また、機械のリモート情報処理アセンブリは有益には、機械が壊れておらず、むしろ使用者により正しく使用されていない場合の技術者による移動を回避することができる。実際に、移動の必要性がないような場合、技術者の介入の移動が６０％以下になることが示され得る。提案されるアセンブリはまた、将来に起こり得る故障が発生し得ることを前もって決定することができる。このように、潜在的な故障および使用者が機械に対する切迫した問題の発生をまだ知っていない間の介入を予測することができる。提案されるアセンブリはまた、介入速度を向上させることができ、特に圧縮器などの機械のマスター部分に対する問題を解決するのに有用である。
【０１０２】
図３は制御ユニット８０を有する機械のケーブルについての１つの可能性を示す。このように、制御ユニット８０は機械の種々の装置または部材に接続されることにより、ＬＣＤスクリーン８２上で使用者に情報を集中させることができるか、または情報送信デバイスを介してメンテナンスセンターに情報を集中させることができ、リモートモニタリング下でシステムの作動を可能にする。
【０１０３】
ファン２８は、３種のファン：遠心ファン、螺旋形ファン、および接線ファンの中から選択されてもよい。
【０１０４】
遠心ファンは、装置３０（空気フィルタおよび交換器：蒸発器３２および凝縮器３６）にわたる一定の空気流速、妥当なノイズレベル、許容可能な値段および十分な寿命期間を維持するのに必要である、高動圧の利点を有する。
【０１０５】
接線ファンは、長期間の寿命および動圧の利点を有する。
【０１０６】
螺旋形ファンは、小さい容積であり、様々な値段および利用可能性がある利点を有する。したがって、装置の内側に空気を押し出すこと、または装置の内側に空気を吸引することを選択するのが容易であり得る。抽出装置３０の実施形態に関して、螺旋形ファンが好ましい。
【０１０７】
蒸発器３２は、直径が１インチの３／８、つまり０．９５２５ｃｍの４列の管から構成されてもよい。蒸発器３２は好ましくは、空気流と熱交換流体との間の熱交換面を増加させるためのフィンを備える。したがって、最大量の空気が低温壁と接触し、除湿が最適化される。
【０１０８】
フィンのピッチは１．６ｍｍであり得る。熱伝導流体は３つの位置に分配されてもよい。したがって、低温の熱伝導流体は、同じように上部、中間部、および下部に分配される。このように、蒸発器３２の全体の全ての面は同じ時間に冷却される。流体の循環は空気に対して逆流して提供される。流体の出力は、圧縮器３４からの液体が蒸発器３２に戻らないように上部で成されてもよい。機械の工業化を改良するために、同じプレート上で蒸発器３２と凝縮器３６を組み立ててもよい。
【０１０９】
圧縮器３４は、蒸発器３２における空気流を十分に冷却するのに所望される電力間で妥協をなくすように選択されてもよく、冷却し過ぎることを防ぐ。圧縮器３４は、ピストン圧縮器、スクロール圧縮器、および回転圧縮器からなる群から選択されてもよい。
【０１１０】
ピストン圧縮器が最も一般的である。それは費用効率が高く、静かであり、高さ方向の容積が小さい。スクロール圧縮器または螺旋形圧縮器は、熱伝導流体の高出力、可変速度、およびそれによる可変流速の利点を有する。回転圧縮器は、手頃な価格であり、平均出力、可変速度および流速を有し、高さ方向の容積が小さい利点を有する。その手頃な価格に加えて、その良好な出力に起因して回転圧縮器が好ましい。最後に、この種の圧縮器の利用可能な動力は、蒸発器３２に伝わるようにわずかなバランスに対応し、可能な限り露点に近くなり、高温過ぎず、低温過ぎないようになる。その容積は制限された空間に対応し、機械におけるシステムの容易な実装を可能にする。それはまた、機械的に強い。
【０１１１】
凝縮器３６は、直径が１インチの３／８、すなわち０．９５２５ｃｍである３列の銅管で構成されてもよい。好ましくは、熱伝導流体の循環は、空気流に逆流して行われる。次いで、熱伝導流体の注入口は凝縮器３６の上部にあり、排出口は凝縮器３６の下部にある。
【０１１２】
凝縮器において消失される熱は、圧縮器の機械的作動からの熱に加えて、蒸発器により捕捉される。
【０１１３】
管の直径は、圧縮器３４の動力に対応し、熱伝導流体の移動と共に全ての流体および油の適切な循環速度を確保する。凝縮器３６は好ましくは、流体と空気との間の交換面を増加させるためのフィンを備える。フィンは好ましくはアルミニウム製である。フィンのピッチは１．６ｍｍであってもよい。ピッチが密接になると、熱交換器はより良くなる。
【０１１４】
熱伝導流体の移動に沿った異なる部材は、移動の高圧（ＨＰ）部分に関して１／４インチ、すなわち０．６３５ｃｍ、および移動の低圧（ＢＰ）にわたって３／８インチ、すなわち０．９５２５ｃｍの直径を有する銅管によって互いに接続されてもよい。圧力タップもまた、その移動で提供されてもよい：その移動上での１つのＨＰ圧力タップおよび２つのＢＰタップ（熱伝導流体チャージについて１つおよび圧力スイッチ４８について１つ）。
【０１１５】
熱伝導流体は好ましくはＲ４０７Ｃ流体である。その場合、熱伝導流体チャージは好ましくは６５０ｇである。
【０１１６】
一実施形態によれば、冷却回路は、単独でまたは他のものと組み合わせて以下の特徴のうちの１つを含む：
３００Ｗ、回転、２２０Ｖ  ＡＣ５０Ｈｚ、Ｒ１３４Ａの冷却能力を有する圧縮器；
格子型の静電コンデンサ；
溶接銅製の脱水器；
銅製の１．２ｍｍの直径、および１．５ｍの長さを有するキャピラリー膨張器；
１／４インチ、すなわち０．６５ｃｍの直径を有し、ステンレス鋼製の円筒形貯蓄槽６０の周囲に巻かれる銅静電蒸発器、５ｍの長さである蒸発器；
ポリウレタンフォーム絶縁体、２層に巻かれる１３ｍｍ厚；
冷却剤として１７０ｇのＲ１３４Ａのチャージ；
チャージについての冷却回路の低圧レベルにおける圧力スイッチならびに蒸発圧力および温度のモニタリング。
【０１１７】
貯蓄槽６０の一実施形態によれば、それは円形であり、１５ｃｍの直径を有し、２２ｃｍの高さであり、１０ｍの容量を有する。槽の底部は、濾過の吸引部の方へ水を導くためにわずかに傾いており、水の一部が停滞するのを防ぐ。それはステンレス鋼製である。平らな部分を形成する、平らな矩形形状が、高さ全体および４ｃｍの幅にわたって与えられる。この部分はいくつかの場所に穴が開いている。例えば６つの穴、各々はそれらを密閉するためにナットおよびロックナットを備える。それらの穴は、２０ｍｍの直径を有し、１０ｍｍの直径の中心穴を有して作製される。
【０１１８】
銅シンブルが第１の穴に溶接される。それにより、貯蓄水についての温度プローブを受け取ることができる。このプローブは、温度情報を送信するために制御ユニット８０の電子回路に接続される。
【０１１９】
第１に隣接して（約２ｃｍ）配置される第２の穴は、３／４インチ、すなわち１．９０５ｃｍの黄銅コネクタを備え、ポンプ５６の吸引部に接続される、１／４インチ、すなわち０．６５ｃｍのパイプを接続する。
【０１２０】
平らな部分の中心における第３の穴は、紫外線ランプ５８が挿入される石英管を受容する。その管およびそのランプ５８は槽の内側に貫通し、貯蓄水に浸される。
【０１２１】
第４の穴は第３の真上、約１０ｃｍに配置される。この穴により、ポンプ水の放出回路を受容することができる。水処理において最大効果を得るように、紫外線ランプ５８の真上に配置することが好ましい。次いで水は体系的に紫外線ランプ５８に落ちる。したがって、抗菌でまたは微生物発生を防いで処理される。
【０１２２】
さらに貯蓄槽６０の平らな部分において、第５の穴が頂部付近の上部に配置される。それは、３／４インチ、すなわち１．９０５ｃｍの黄銅コネクタを備え、１／４インチ、すなわち０．６５ｃｍのパイプを接続することにより、オーバーフローセンサ６２を設置することができる。
【０１２３】
第６の穴は、槽の左側底部に配置され、第２の穴から約１０ｃｍ離れている。それは膜レベルセンサ６８を受容する。
【０１２４】
このシステムは、強制作動および自動作動モードを含んでもよい。図３を参照すると、このシステムは、例えば、強制作動または自動作動モードを選択するためのボタンを含む、ユーザインターフェース８４を備えてもよい。ユーザインターフェース８４はまた、例えば使用者による水消費のために、制御ユニット８０を介してソレノイドバルブ７８および／またはポンプ５６を制御することができる。ユーザインターフェース８４はまた、使用者が、制御ユニット８０により時間と共に記録される、機械の作動状態、水消費、または水抽出性能に関する連続情報を得ることを可能にする。
【０１２５】
図４は、強制作動および自動作動モードにおけるシステムの作動のフローチャートを示す。図４に示しているフローチャートのシステムは１２リットルの貯蓄槽６０を備える。
【０１２６】
強制作動の間、貯蓄槽６０が満たされている場合、制御ユニット８０は停止の命令のみをする。
【０１２７】
自動作動の間、制御ユニット８０は空気に含まれる水の抽出を最適化する。次いで、例えば図４に示しているように、貯蓄槽６０の体積の１／３の最小の貯蓄された水のリザーブが提供されてもよい。最小量のリザーブが達成されると、外側の温度および湿度条件が空気に含まれる水の抽出に有益である場合、制御ユニット８０は、空気に含まれる水の抽出を命令する。最大抽出に到達するまで、水の抽出は継続され、使用者による毎日の消費または図４に示すように貯蓄槽６０の最大容量の設定に応じて水の抽出は決定される。
【０１２８】
好ましくは、制御ユニット８０は、夜間まで、例えば真夜中まで空気に含まれる水の抽出を遅延させる。例えば、水を生成する条件が良好であり、水レベルは最小閾値以下であり、それは９ｐ．ｍ．またはそれより遅くである場合、水の製造は真夜中まで遅延される。
【０１２９】
遅延はまた、使用者の消費に応じて計算されてもよい。例えば、貯蓄槽６０内の水の量が使用者の毎日の消費より多い場合、制御ユニット８０は真夜中まで水の抽出を遅延させてもよい。
【０１３０】
空気に含まれる水の抽出のこの遅延により、システムの出力を最大限に最適化できる。実際に、湿度レベルは昼の間より夜の方が高い。次いでそのシステムは、より迅速に貯蓄槽を満たし、したがって、エネルギー消費を少なくする。さらに、エネルギーコストはこれらの期間、費用を少なくすることができる。したがって、最適化は経済的でもある。
【０１３１】
制御ユニット８０は、システムが水を生成できない場合、水道水グリッドに接続するためにソレノイドバルブの開口を命令してもよい。ソレノイドバルブを開口するための制御は、水道水グリッドにおける水の存在を確認する信号により、例えば２バールに校正された圧力スイッチを用いる測定により行われてもよい。
【０１３２】
制御ユニット８０は最小の時間で抽出装置３０の作動を制御できる。したがって、抽出装置３０の作動開始後すぐに、条件がもはや有益でない場合、制御ユニット８０は、例えば３分間、作動を制御する。これにより、時間内に非常に近接している装置３０の連続した開始および停止を回避できる。同様に、装置３０の停止が制御ユニット８０により制御されている場合、ソフトウェアは、最小の時間、例えば３分間、維持されてもよい。
【０１３３】
このシステムは作動条件の閾値を有してもよく、その閾値以下で制御ユニット８０は水の抽出を停止する。例えば、４０％の湿度レベルで１５℃の外部温度について、２９％の湿度レベルで２０℃の外部温度について、２２％の湿度レベルで２５℃の外部温度について、１６％の湿度レベルで３０℃の外部温度について、１１．５％の湿度レベルで３５℃の外部温度について。
【０１３４】
制御ユニット８０は、装置３０に侵入する空気の温度に応じて蒸発器３２に侵入する熱伝導流体の温度を制御する。したがって、侵入する空気の温度に応じて蒸発器３２の制御曲線を規定することが可能である。例えば、そのような曲線は以下の点を含む：１５℃の侵入温度について、５℃の制御温度；２０℃の侵入温度について、９．５℃の制御温度；２５℃の侵入温度について、３０℃の制御温度；３０℃の侵入温度について、１５．５℃の制御温度；３５℃の侵入温度について、１８℃の制御温度。
【０１３５】
この機械は情報をリモートで送信するためのデバイス８８を備えてもよい。この機械はまた、以下のようなシステムの情報の全てを保存するためのシステムも含んでもよい：
１日当たりに製造される水のリットル数、
外部空気の温度および湿度レベル、
製造され、消費される水のリットルの蓄積数、
圧縮器の圧力値、
空気フィルタの圧力スイッチの値、
処理している水についてのフィルタの交換を決定するために、濾過された水のリットル数と共にポンプの作動時間、
変更しなければならない時期を決定するためにＵＶランプの作動時間、
各電力の供給停止の発生、
診断の起動、例えば可能な１２の診断的価値。
【０１３６】
この情報は、３０日ループで１日当たり少なくとも３回記録されてもよい。しかしながら、電力の供給停止または診断的起動の発生に関する情報を維持することが好適であり得る。
【０１３７】
【表１】
2013527889.tif 000003
【図１】
2013527889.tif 000004
【図２】
2013527889.tif 000005
【図３】
2013527889.tif 000006
【図４】
2013527889.tif 000007
【国際調査報告】
2013527889.tif 000008
2013527889.tif 000009
2013527889.tif 000010
2013527889.tif 000011
2013527889.tif 000012
2013527889.tif 000013